(57)【要約】本発明は、（i）有効量の、少なくとも１つのエッセンシャルオイル成分、または光照射もしくは酸化によって得られるその誘導体、またはその混合物、および（ii）１０％から約５０％の量のエタノール、乳化剤、酸化防止剤、またはカプセル化剤から成る群から選択された少なくとも１つの追加の安定剤、を含む殺菌水性配合剤に関する。本発明は、さらに、前記殺菌水性配合剤を使用して微生物の増殖を抑制する方法に関する。【特許請求の範囲】
【請求項１】
（i）有効量の、少なくとも１つのエッセンシャルオイル成分、または光照射もしくは酸化によって得られるその誘導体、またはその混合物、および
（ii）１０％から約５０％の量のエタノール、乳化剤、酸化防止剤、またはカプセル化剤から成る群から選択された少なくとも１つの追加の安定剤、
を含む殺菌水性配合剤。
【請求項２】
前記乳化剤は、アルキルアリルポリエーテルアルコール、ポリオキシエチレンソルビタンモノラウレート、ポリオキシエチレンソルビタンモノオレエレート、オクチル−フェニルポリエーテルアルコール、またはその混合物を含む群から選択される、請求項１記載の殺菌水性配合剤。
【請求項３】
前記酸化防止剤は、ブチル化ヒドロキシアニソール（ＢＨＡ）、アスコルビン酸、ブチル化ヒドロキシトルエン（ＢＨＴ）、イソアスコルビン酸、α―トコフェロール、β−カロチン、またはその混合物を含む群から選択される、請求項１記載の殺菌水性配合剤。
【請求項４】
前記カプセル化剤は、コーンスターチ、マルトデキストリン、シリカゲル、β―シクロデキストリン、カゼイン、キトサン、およびその混合物を含む群から選択される、請求項１記載の殺菌水性配合剤。
【請求項５】
前記エッセンシャルオイル成分は、モノテルペンまたはセスキテルペン炭化水素、酸化テルペン誘導体、ならびにアルデヒドやアルコール、酸、エステル、フェノール類などの非テルペン誘導体を含む群から選択される、請求項１記載の殺菌水性配合剤。
【請求項６】
前記エッセンシャルオイル成分は、ペリルアルデヒド、シトラール、テルピネオール、テルピネン−４−オール（terpinen-4-ol）、ペリラアルコール、カルボン、カルベオール、６−メチル−５−ヘプタン−２−オン（6-methyl-5-hepten-2-one）、Ｃ７−１１ＣＨＯ、Ｃ７−１０ＯＨ、ゲラニオール、リモネン、桂皮アルデヒド、桂皮酸、カルバクロール、バニリン、またはその混合物を含む群から選択される、請求項５記載の殺菌水性配合剤。
【請求項７】
前記エッセンシャルオイル成分は、シトラール、ゲラニオール、カルバクロール、１−オクタノール、ペリルアルデヒド、デカノール、桂皮アルデヒド、桂皮酸、またはその混合物を含む群から選択される、請求項５記載の殺菌水性配合剤。
【請求項８】
前記エッセンシャルオイル成分誘導体は、酸化リモネン、好ましくはリモネンヒドロペルオキシドである、請求項１記載の殺菌水性配合剤。
【請求項９】
前記酸化は、モリブデン塩のもとにおける不均一な酸化である、請求項８記載の殺菌水性配合剤。
【請求項１０】
前記エッセンシャルオイル成分誘導体は、日光または紫外線の照射にさらされたリモネンである、請求項１記載の殺菌水性配合剤。
【請求項１１】
前記リモネンは、自然源からの抽出後に、日光または紫外線照射にさらされる、請求項１０記載の殺菌水性配合剤。
【請求項１２】
ある量のリモネンを有するエッセンシャルオイル成分の混合物を含む自然源は、エッセンシャルオイル成分の抽出前に日光または紫外線照射にさらされる、請求項１記載の殺菌水性配合剤。
【請求項１３】
ある量のリモネンを有するエッセンシャルオイル成分の混合物を含む自然源は、この自然源からの抽出後に日光または紫外線照射にさらされる、請求項１記載の殺菌水性配合剤。
【請求項１４】
エッセンシャルオイル成分の混合物を含む前記自然源は、柑橘類の皮である、請求項１２または請求項１３記載の殺菌水性配合剤。
【請求項１５】
前記リモネンまたは前記エッセンシャルオイル成分の混合物は、約４時間日光にさらされる、請求項１０から請求項１４のいずれかに記載の殺菌水性配合剤。
【請求項１６】
前記リモネンまたは前記エッセンシャルオイル成分の混合物は、約３時間紫外線照射にさらされる、請求項１０から請求項１４のいずれかに記載の殺菌水性配合剤。
【請求項１７】
前記エッセンシャルオイルの濃度は、約０.１％から約１％である、請求項７記載の殺菌水性配合剤。
【請求項１８】
光照射を受けたリモネンまたはエッセンシャルオイル成分の混合物の濃度は、約１０００μＬＬ−１から約１２０００μＬＬ−１の範囲である、請求項１６記載の殺菌水性配合剤。
【請求項１９】
有効成分としてシトラールと、１−オクタノールと、抽出後に日光または紫外線照射にさらされた相当量のリモネンを含むエッセンシャルオイル成分の混合物とを含む、請求項１記載の殺菌水性配合剤。
【請求項２０】
有効成分として１−オクタノールと、抽出後に日光または紫外線照射にさらされた相当量のリモネンを含むエッセンシャルオイル成分の混合物とを含む、請求項１記載の殺菌水性配合剤。
【請求項２１】
約５ｐｐｍから約１００ｐｐｍの濃度の追加の殺菌剤をさらに含む、請求項１記載の殺菌水性配合剤。
【請求項２２】
前記殺菌剤は、イマザリル、チアベンダゾール、パノクチン、ロブラル、プロクロラズ、ナトリウム・オルトフェニールフェノール、メタラキシル、ホセチル、キャプタン、オキシン硫酸塩、ジクロラン・ベンザルコニウム塩化物、カノン、チオファネートメチル、トリホリン、カルベンダゾール、トリアデミノール、ビンクロゾリン、エタコナゾール、またはその混合物を含む群から選択される、請求項２１記載の殺菌水性配合剤。
【請求項２３】
配合剤のｐＨは、約１から約９の範囲である、請求項１記載の殺菌水性配合剤。
【請求項２４】
果実および野菜を収穫後の腐敗から保護するために使用する、上記請求項のいずれかに記載の殺菌水性配合剤。
【請求項２５】
果実および野菜を収穫前の腐敗から保護するために使用する、上記請求項のいずれかに記載の殺菌水性配合剤。
【請求項２６】
食肉または鮮魚の腐敗を防ぐための、請求項１記載の殺菌水性配合剤。
【請求項２７】
黄色ブドウ球菌細胞の増殖を防ぐための、請求項１記載の殺菌水性配合剤。
【請求項２８】
カンジダ・アルビカンスの増殖を防ぐための、請求項１記載の殺菌水性配合剤。
【請求項２９】
前記エッセンシャルオイルは、栄養補助配合物の成分としての用途のゲラニオール、ペリルアルデヒド、リモネン、またはシトラールである、請求項１記載の殺菌水性配合剤。
【請求項３０】
有効量の水性配合剤を適用することを含む、微生物増殖を阻止する方法であって、前記水性配合剤は、
（i）有効量の、少なくとも１つのエッセンシャルオイル成分、または光照射もしくは酸化によって得られるその誘導体、またはその混合物、および
（ii）１０％から約５０％の量のエタノール、乳化剤、酸化防止剤、またはカプセル化剤から成る群から選択された少なくとも１つの追加の安定剤、
を含む方法。
【請求項３１】
前記乳化剤は、アルキルアリルポリエーテルアルコール、ポリオキシエチレンソルビタンモノラウレート、ポリオキシエチレンソルビタンモノオレエレート、オクチル−フェニルポリエーテルアルコール、またはその混合物を含む群から選択される、請求項３０記載の方法。
【請求項３２】
前記酸化防止剤は、ブチル化ヒドロキシアニソール（ＢＨＡ）、アスコルビン酸、ブチル化ヒドロキシトルエン（ＢＨＴ）、イソアスコルビン酸、α―トコフェロール、β−カロチン、またはその混合物を含む群から選択される、請求項３０記載の方法。
【請求項３３】
前記カプセル化剤は、コーンスターチ、マルトデキストリン、β―シクロデキストリン、シリカゲル、カゼイン、キトサン、およびその混合物を含む群から選択される、請求項３０記載の方法。
【請求項３４】
前記エッセンシャルオイル成分は、モノテルペン炭化水素、セスキテルペン、酸化テルペン誘導体、ならびにアルデヒドやアルコール、酸、エステル、フェノール類などの非テルペン誘導体を含む群から選択される、請求項３０記載の方法。
【請求項３５】
前記エッセンシャルオイル成分は、ペリルアルデヒド、シトラール、テルピネオール、テルピネン−４−オール、ペリラアルコール、カルボン、カルベオール、６−メチル−５−ヘプタン−２−オン、Ｃ７−１１ＣＨＯ、Ｃ７−１０ＯＨ、ゲラニオール、リモネン、桂皮アルデヒド、桂皮酸、カルバクロール、バニリン、またはその混合物を含む群から選択される、請求項３４記載の方法。
【請求項３６】
前記エッセンシャルオイル成分は、シトラール、ゲラニオール、１−オクタノール、カルバクロール、ペリルアルデヒド、デカノール、桂皮アルデヒド、桂皮酸、またはその混合物を含む群から選択される、請求項３５記載の方法。
【請求項３７】
前記エッセンシャルオイル成分は、酸化リモネン、好ましくはリモネンヒドロペルオキシドである、請求項３０記載の方法。
【請求項３８】
前記エッセンシャルオイル成分は、日光または紫外線の照射にさらされたリモネンである、請求項３０記載の方法。
【請求項３９】
前記リモネンは、自然源からの抽出後に、日光または紫外線照射にさらされる、請求項３８記載の方法。
【請求項４０】
ある用のリモネンを有するエッセンシャルオイル成分の混合物を含む自然源は、エッセンシャルオイル成分の抽出前に日光または紫外線照射にさらされる、請求項３０記載の方法。
【請求項４１】
ある量のリモネンを有するエッセンシャルオイル成分の混合物を含む自然源は、この自然源からの抽出後に日光または紫外線照射にさらされる、請求項３０記載の方法。
【請求項４２】
エッセンシャルオイル成分の混合物を含む前記自然源は、柑橘類の皮である、請求項３０記載の方法。
【請求項４３】
前記リモネンまたは前記エッセンシャルオイル成分の混合物は、約４時間日光にさらされる、請求項３８から請求項４２のいずれかに記載の方法。
【請求項４４】
前記リモネンまたは前記エッセンシャルオイル成分の混合物は、約３時間紫外線照射にさらされる、請求項３８から請求項４２のいずれかに記載の方法。
【請求項４５】
前記エッセンシャルオイルの濃度は、約０.１％から約１％である、請求項３６記載の方法。
【請求項４６】
リモネンの濃度は、約１０００μＬＬ−１から約１２０００μＬＬ−１の範囲である、請求項４３記載の方法。
【請求項４７】
有効成分としてシトラールと、１−オクタノールと、抽出後に日光または紫外線照射にさらされた相当量のリモネンを含むエッセンシャルオイル成分の混合物とを含む、請求項３０記載の方法。
【請求項４８】
有効成分として１−オクタノールと、抽出後に日光または紫外線照射にさらされた相当量のリモネンを含むエッセンシャルオイル成分の混合物とを含む、請求項１記載の方法。
【請求項４９】
前記水溶液は、約５ｐｐｍから約１００ｐｐｍの濃度の殺菌剤をさらに含む、請求項３０記載の方法。
【請求項５０】
前記殺菌剤は、イマザリル、チアベンダゾール、パノクチン、ロブラル、プロクロラズ、ナトリウム・オルトフェニールフェノール、メタラキシル、ホセチル、キャプタン、オキシン硫酸塩、ジクロラン・ベンザルコニウム塩化物、カノン、チオファネートメチル、トリホリン、カルベンダゾール、トリアデミノール、ビンクロゾリン、エタコナゾール、またはその混合物を含む群から選択される、請求項４９記載の方法。
【請求項５１】
果実および野菜を収穫後の腐敗から保護するための、請求項３０記載の方法。
【請求項５２】
果実および野菜を収穫前の腐敗から保護するための、請求項３０記載の方法。
【請求項５３】
食肉または鮮魚の腐敗を防ぐための、請求項３０記載の方法。
【請求項５４】
黄色ブドウ球菌細胞の増殖を防ぐための、請求項３０記載の方法。
【請求項５５】
カンジダ・アルビカンスの増殖を防ぐための、請求項３０記載の方法。
【発明の詳細な説明】
【技術分野】
【０００１】
本発明は、微生物の増殖を抑制する手段に関する。より詳細には、本発明は、エッセンシャルオイル成分または光照射もしくは酸化により得られるその誘導体を安定剤と共に含む、痛みやすい農産物、家庭および人間の衛生環境において微生物の増殖を抑制するための配合剤ならびに方法に関する。
【背景技術】
【０００２】
傷みやすい農産物の腐敗は、微生物の感染によって引き起こされる。そのような農産物は通常、長期間にわたって貯蔵され、その間各種の微生物の増殖を可能にする条件が存在し、その結果ほとんどの場合、高い割合で農産物が感染してしまう。このような腐敗による明白な多額の財務的損失に加えて、これらの微生物の一部には有毒な発がん性代謝産物を生成するものもあり、人体にとって有害になる。
【０００３】
現在、痛みやすい農産物の病原体感染の抑制には、主として合成防かび剤および／または殺菌剤の外部塗布によって達成される。しかし、これらの合成化学薬品は、農産物に有害な残留物がある。さらに、微生物の耐性菌の発生も観察されている。その結果、そのような防かび剤および殺菌剤のいくつかは、規制当局によって段階的に廃止されつつある。残留毒性および段階的廃止の流れは、現在腐敗の防止に使用されている合成化学薬品に代わる代替品の開発を促すきっかけとなった。
【０００４】
以下、代替案のいくつかを説明する。たとえば、農産物への紫外線照射（Ben−Yehoshua, S., Rodov, V., Kim, J. J. and Carmeli, S., 1992. Preformed and induced antifungal materials of citrus fruits in relation to the enhancement of decay resistance by heat and ultraviolet treatments. J. Agric. Food Chem., 40:1217-1221; Rodov, V., Ben−Yehoshua, S., Kim, J. J., Shapiro, B. and Ittah, Y., 1992. Ultraviolet illumination induces scoparone production in kumquat and orange fruit and improves decay resistance. J. Amer. Soc. Hortic. Sci., 117: 188-192）、または、農産物を拮抗酵母菌にさらすこと（Wilson, C. L. and Chalutz, E., 1989. Postharvest biocontrol of Penicillium rots of citrus with antagonistic yeasts and bacteria. Scientia Horticulturae, 40: 105-112）などが挙げられる。ただし、紫外線照射には植物毒性の可能性もあり、拮抗酵母菌による生態的防除は、おそらくは病原体の抑制が不十分であるため、まだ商業ベースでは十分に受け入れられていない。さらに、これらの方法にはさまざまな欠点があり、一部の関係保健当局では承認されていないものもある。
【０００５】
柑橘類その他さまざまな植物は、植物組織内に抗菌物質を生成することにより、病原体に対する何らかの内因耐性を備えている（Ben−Yehoshua, S., Rodov, V., Kim, J.J. and Carmeli, S., (1992) Preformed and induced antifungal materials of citrus fruits in relation to the enhancement of decay resistance by heat and ultraviolet treatments. J. Agric. Food Chem., 40: 1217-1221; Ben−Yehoshua, S., Rodov, V., Fang, D. Q., and Kim, J. J., (1995) Preformed antifungal compounds of citrus fruit: effect of postharvesttreatments with heat and growth regulators. J. Agric. Food Chem. 43: 1062-1066; Rodov, V., Ben−Yehoshua, S., Fang, D. Q., and Kim, J. J., (1995) Preformed antifungal compounds of lemon fruit: citral and its relation to disease resistance. J. Agric. Food Chem. 43: 1062-1066）。これらの物質には、幅広い抗菌作用を呈するエッセンシャルオイル成分（essential oil components）が含まれることがこれまですでに示されている。米国特許第５,３３４,６１９号および第５,９５８,４９０号には、収穫後の農作物に腐敗を防ぐための有効剤として数種の天然エッセンシャルオイルを使用する方法が記載されている。ただし、抗菌作用を有するエッセンシャルオイル成分はほんのわずかしかない。
【０００６】
シトラール（Citral）［３,７−ジメチル−２,６−オクタジエナール］は、数種の柑橘類その他レモングラスやユーカリなどの植物で天然に生成されるエッセンシャルオイル成分である。シトラールは、テルペン系の不飽和アルデヒドであり、ゲラニアールとネラールの異性体混合物で構成されている。強いレモンの風味と芳香があるため、シトラールは食品および化粧品業界で幅広く使用されてきた。シトラールは、安全な食品添加剤として認められ、米国食品医薬品局によって食品への使用が承認されている。シトラールはまた、非常に有効で広範な抗菌および防かび作用を呈することも示されている。事実、Ben Yehoshuaら（1992年）およびRodovら（1995年）は、シトラールがレモン果実に含まれる最も有効な構成性防かび化合物であることを示している。
【０００７】
リモネン（Limonene）、１−メチル−４−（１−メチルエテニル）シクロヘキセン（p−メンタ−１,８−ジエンとしても知られる）は、豊富にあるエッセンシャルオイル成分のもう１つの例であり、これは柑橘類のフラベドの腺から抽出される。米国特許第４,３７９,１６８号および米国特許第５,９５１,９９２号では、それぞれ殺虫剤および農薬としてのリモネンの使用を記載している。ただし、その純粋な形状では、防かび作用は非常に低い。Chalchatら（Chalchat, J. C., Chiron, F., Garry, R. Ph. and Lacoste (2000) J. Essent. Oil Res. 12, 125-134）は、ヒト病原体に対するリモネンヒドロペルオキシド（hydropeoxide）の抗菌作用を開示している。
【０００８】
Aureliら（Aureli, P., Costantini, A. and Zolea, S., 1992. Antimicrobial activity of some plant essential oil against Listeria monocytogenes. J. Food Protection, 55: 344-348）は、一部のエッセンシャルオイル成分がリステリア菌などの病原菌に対して強力な作用を持つことを示し、リステリア菌による食品汚染を防止するために使用することを提案した。
【０００９】
シトラールを使用して各種の農産物の腐敗を抑制する試みがいくつか行われてきた。シトラールが、アスペルギルス（Aspergillus）を接種した高湿のオオムギ（Nandi, B., ThomkeS. and Fries, N., 1977. Preservation of high moisture barley grains with citral and allyl caproate and preliminary acceptability tests with piglets. Acta Agric. Scand., 27: 105-109）、もみ（Mallick, A. K. and Nandi, B., 1982. Deterioration of stored rough rice. IV. Preservation and palatability of citral and propionic acid treated grains. Acta Agric. Scand., 32: 177-187）、および小麦（Ghosh, J. and Nandi, B., 1985. Preservation of high moisture wheat by some antifungal volatile compounds and palatability tests with rats. Acta Agric. Scand., 35: 245-254）の穀物変質を低減できたことが示された。AroraとPandey（Arora, R. and Pandey, G. N., 1977. The application of essential oils and their isolates for blue mold decay control in Citrus reticulata Blanco. J. Food Sci. and Tech. 14: 14-16）は、シトラール、ゲラニオール（geraniol）その他エッセンシャルオイル成分がシトラスレチキュラータ（Citrus reticulata）果実の青かびによる腐敗を低減することを報告した。本発明の発明者（Ben-Yehoshua, S., Rodov, V., Kim, J. J. and Carmeli, S., 1992. Preformed and induced antifungal materials of citrus fruits in relation to the enhancement of decay resistance by heat and ultraviolet treatments. J. Agric. Food Chem., 40: 1217-1221）は、青かびを接種したレモンにシトラールを外部塗布することでその腐敗が大幅に抑制されたことを示した。
【００１０】
農産物の腐敗を防止するためにエッセンシャルオイル成分を使用した従来のほとんどの場合では、エッセンシャルオイル成分は水性乳剤で農産物に塗布されていた。農産物の腐敗の部分的な防止はそのような物質の使用により達成されたが、シトラールおよびゲラニオールを始めとするエッセンシャルオイル成分は痛みやすい農産物の腐敗抑制にはまだ商業ベースでは使用されていない。これらの物質が使用されない主な理由の１つは、微生物に対して有効な濃度を痛みやすい農産物に塗布すると農産物に損傷を与え、その後の腐敗の原因となるおそれがあることである。たとえば、エッセンシャルオイルは、果実の皮の損傷および精肉の変色をもたらす。この損傷は重大になる場合もあり、結果として処理済みの農産物に比較的短期間のうちに著しい腐敗を引き起こす可能性もある。商業ベースで使用されないもう１つの理由は、不安定な性質にある。これらのエッセンシャルオイルの多くが不安定で、殺菌作用を発揮する前に分解してしまう傾向があるためである。
【発明の開示】
【００１１】
本発明は、食品用エッセンシャルオイル成分、または光照射もしくは酸化によって得られるその誘導体が、微生物の増殖を抑制するための安定した有効な微生物殺菌配合剤の活性成分として使用できるという事実に基づいている。そのような配合においては、エッセンシャルオイル成分の既知の植物毒性による損傷が防止され、エッセンシャルオイル成分またはその誘導体の安定性が延長され、その結果環境に無害な微生物殺菌成分組成がもたらされる。
【００１２】
したがって、本発明の１つの目的は、
（i）有効量の、少なくとも１つのエッセンシャルオイル成分、または光照射もしくは酸化によって得られるその誘導体、またはその混合物、および
（ii）１０％から約５０％の量のエタノール、乳化剤、酸化防止剤、またはカプセル化剤から成る群から選択された少なくとも１つの追加の安定剤、
を含む新しい微生物殺菌水溶配合剤を提供することである。
【００１３】
追加のエタノールの量は、約１０％から約５０％である。エッセンシャルオイル成分は、モノテルペン炭化水素、セスキテルペン、酸化テルペン誘導体、ならびにアルデヒドやアルコール、酸、フェノール類などの非テルペン誘導体の群から選択される。水溶殺菌剤配合物のエッセンシャルオイルの濃度は、約０.１％から約１％（ｖ／ｖ）である。光照射により得られたエッセンシャルオイルの誘導体の濃度は、約１０００μＬＬ−１から約１２０００μＬＬ−１である。微生物殺菌剤配合物はさらに、別の追加の殺菌剤を、それ自体では微生物発生を抑制するには十分とはいえない少量含むことができる。
【００１４】
本発明の他の目的は、
（i）有効量の、少なくとも１つのエッセンシャルオイル成分、または光照射もしくは酸化によって得られるその誘導体、またはその混合物、および
（ii）１０％から約５０％の量のエタノール、乳化剤、酸化防止剤、またはカプセル化剤から成る群から選択された少なくとも１つの追加の安定剤、
を含む微生物殺菌水溶配合剤を塗布することにより、痛みやすい農産物における微生物の発生を抑制する方法を提供することである。
【００１５】
追加のエタノールの量は、約１０％から約５０％である。エッセンシャルオイル成分は、モノテルペン炭化水素、セスキテルペン炭化水素、酸化テルペン誘導体、ならびにアルデヒドやアルコール、酸、フェノール類などの非テルペン誘導体の群から選択される。配合剤はさらに、別の追加の殺菌剤を、それ自体では微生物の増殖を抑制するには十分とはいえない少量含むことができる。
【００１６】
本発明のさらに他の目的は、本発明の微生物殺菌水溶配合剤を単独で、または一般に使用される洗浄剤と共に塗布することにより、家庭における微生物の増殖を抑制する方法を提供することである。
【００１７】
本発明のさらに他の目的は、エッセンシャルオイルまたはその誘導体が適切な添加剤と共に、石鹸、衛生用品、食器洗い機用洗剤、うがい薬、または化粧品の用途に追加されるような、人間の衛生環境向けの微生物殺菌配合剤の使用を提供することである。
【００１８】
本発明のさらに他の目的は、細菌によって引き起こされる軽微な感染を緩和または処置して、人間の健康に利益をもたらす栄養補給としての微生物殺菌配合剤の使用を提供することである。
【発明を実施するための最良の形態】
【００１９】
本発明を理解し、実際の実施方法を確認するため、ここで図面を参照しながら非限定的な例のみを通じて好ましい実施例について説明する。
【００２０】
前述のように、本発明は、農産物において、家庭において、人の衛生状態に対して、また栄養補給組成として、腐敗の防止に効果の高い、環境に無害な微生物殺菌配合剤を提供する。水性微生物殺菌配合剤は、活性成分として、少なくとも１つのエッセンシャルオイル成分または光照射もしくは酸化によって得られたその誘導体、またはそのようなエッセンシャルオイルおよび／またはその誘導体の混合物、および、１０％から約５０％の量のエタノール（ethanol）、乳化剤（emulsifier）、酸化防止剤（antioxidant）、またはカプセル化剤（encapsulating agent）から成る群から選択された少なくとも１つの追加の安定剤を含んでいる。安定剤の役割は、微生物殺菌作用を発揮する前にエッセンシャルオイル成分が分解しないよう安定させ、これらの化合物の植物毒性を抑制および／または軽減することである。微生物殺菌エッセンシャルオイル成分は、モノテルペン炭化水素（monoterpene hydrocarbon）、セスキテルペン（sesquiterpene）、酸化テルペン誘導体（oxygenated terpene derivative）、ならびにアルデヒド（シトラール（citral）またはノナナール（nonanal））やアルコール（オクタノール（octanol）、ノナノール（nonanol））、フェノール類（クラバクロール（cravacrol））などの非テルペン誘導体（non-terpene derivative）の群から選択される。水性微生物殺菌配合剤は、微生物の増殖を効果的に抑制および阻止するために使用することができる。すべてのエッセンシャルオイル成分は、食品用成分であることが広く知られている。水性微生物殺菌配合剤のすべての成分が食品用であり、人体には何ら害を及ぼさないことをさらに強調すべきである。特に幅広い利用の可能性の１つとして、痛みやすい農産物を、細菌によって引き起こされる腐敗から保護することがあげられる。農産物には、たとえば、果物、野菜、精肉、鮮魚などのように細菌に感染した結果腐敗してしまう可能性のある生鮮食品を含めることもできる。適切な配合剤の利用の可能性としては他に、家庭用途、身体の衛生または栄養補給など、細菌からの効果的な保護が求められるあらゆる場合があげられる。家庭用途では、水性微生物殺菌配合剤は、単独で、または市販の洗剤と共に使用することができる。エッセンシャルオイルまたはその誘導体の成分を身体衛生に利用する用途としては、このエッセンシャルオイル成分またはその誘導体の有効量を、石鹸、洗浄剤、食器洗い機用洗剤、うがい薬または成分、または防臭剤または成分に取り入れることができる。本発明によるエッセンシャルオイル成分の有効量は、特にシトラール、ペリルアルデヒド（perillaldehyde）、またはリモネン（limonene）から選択されたエッセンシャルオイルの場合、栄養補給食品として使用される成分組成に加えることもできる。そのような栄養補給食品組成は、細菌感染からの保護と、抗がん作用など健康上の利益の追加という２つの効果を発揮することができる。シトラール、リモネン、ゲラニオール（geraniol）、メントール（menthol）、カルボン（carvone）、ペリルアルデヒド（perillaldehyde）などのエッセンシャルオイルを含む本発明の配合剤のいくつかは、抗がん剤として作用し、コレステロールおよびＬＤＬのレベルを低下させることが判明した。シトラールおよびシトロネラール（citronellal）は、気分を���めてリラックスさせ、身体の正しい消化機能を助けることが知られている。そのようなエッセンシャルオイル成分は、植物栄養素または機能性食品として知られている。
【００２１】
エッセンシャルオイル成分の一部は、従来技術において、特に農産物の細菌の殺菌に効果を示すことが知られている。ただし、エッセンシャルオイル成分は、２つの特有の問題の悪影響を受け、そのためこれまでのところ実用的な利用が制限されてきた。１つの問題は、その安定性の制約にかかわるもので、酸素にさらされることによりエッセンシャルオイルの急激な分解を引き起こす酸化プロセスが原因となっている。このため、有効な微生物殺菌剤としての用途は知られていたが、事実上そうした利用はその短命性のために制限されていた。微生物殺菌の作用を引き延ばすためにエッセンシャルオイルを大量に使用すると、最終的にはその使用がもたらす第２の障害に至ってしまう。果実を高濃度のエッセンシャルオイルにさらし、特に混合物が実在溶液（real solution）を生成しない場合には、農産物に損傷を与えることになる。
【００２２】
エッセンシャルオイル成分が微生物殺菌組成の有効成分として、エッセンシャルオイル組成を安定化または溶解する少なくとも１つの添加剤と共に適用されると、安定した効果的な微生物殺菌組成が得られ、しかもこれは農産物に損傷を与えないということが分かった。これらの添加物は、エタノール、酸化防止剤、乳化剤、またはカプセル化剤から選択される。これらの添加剤はそれぞれ、異なるメカニズムでエッセンシャルオイル成分を保護する。エタノールは、それ自体に殺菌性があるが、エッセンシャルオイル成分を溶解して植物毒性を緩和するために添加され、約１０％から約５０％の量を含有する必要がある。乳化剤は、エッセンシャルオイル成分の植物毒性の緩和を助けるマイクロコロイド溶液を形成し続ける。乳化剤は、アルキルアリルポリエーテルアルコール（alkylaryl polyether alcohol）（ＤＸ）、ポリオキシエチレンソルビタンモノラウレート（polyoxyethylene sorbitan monolaurate）（トゥイーン２０（Tween 20））、ポリオキシエチレンソルビタンモノオレエレート（polyoxyethylene sorbitan monooleate）（トゥイーン８０（Tween 80））、オクチル−フェニルポリエーテルアルコール（octyl-phenyl polyether alcohol）（トリトン１００（Triton 100））を含む群から選択することができる。これらの乳化剤の一部は、トゥイーン２０のように食品用のものもある。乳化剤の濃度は、０.１％（ｗ／ｗ）を超えていなければならない。
【００２３】
酸化防止剤は、分解につながるエッセンシャルオイルの酸化率を低下させる。さらにこれは、エッセンシャルオイルに本来備わっている植物毒性を低減する。酸化防止剤は、ブチル化ヒドロキシアニソール（butylated hydroxyanisole）（ＢＨＡ）、アスコルビン酸（ascorbic acid）、イソアスコルビン酸（isoascorbic acid）、α―トコフェロール（α-tocopherol）、ブチル化ヒドロキシトルエン（butylated hydroxytoluene）（ＢＨＴ）、β−カロチン（β-carotene）またはこれらの混合物などの化合物を含む群から選択されるが、これらに限定されることはない。本発明による配合における好ましい酸化防止剤の濃度は、約０.０５％から約０.８％（ｗ／ｖ）の範囲である。ＢＨＡをシトラールに追加した場合の、エッセンシャルオイルの植物毒性を低減させる酸化防止剤の効果を表１に示す。これは、皮の変色指数を表すもので、ＢＨＡ自体が変色を引き起こしたのではないことに留意されたい。
【００２４】
皮の変色指数は、次の式により求められる。
【数１】
2005504102.tif 000002
変色のスコアは、０＝変色なし、１＝軽度の変色、２＝中程度の変色、３＝重度の変色である。
【００２５】
【表１】
2005504102.tif 000003
【００２６】
配合剤に添加されるカプセル化剤は、エッセンシャルオイル成分と共に複合体を形成して、劣化を防ぎ、微生物殺菌作用の有効期間を延長している。カプセル化剤は、炭水化物もしくはタンパク質から成るあらゆる種類の食品用基質もしくはポリマー、または、他の基質（たとえば、コーンスターチ（cornstarch）、マルトデキストリン（maltodextrin）、β―シクロデキストリン（β-cyclodextrin）、シリカゲル（silica gel）、カゼイン（casein）、キトサン（chitosan）およびこれらの混合物など）であってもよい。低分子量ポリエチレンおよび各種ワックスもまた、カプセル化剤としての役割を果たす。実際に、防かび剤を全く含まない各種ワックス配合にシトラールを追加することで、腐敗および植物毒性を共に低減させるシトラールの効果が高まったことが判明した。シトラールにシクロデキストリンを添加しても、処理済みオレンジ果実の表面でシトラールの作用期間が延長されるという結果が出ている。本発明による配合におけるカプセル化剤の好ましい濃度は、約０.１から約０.８％（ｗ／ｖ）である。
【００２７】
乳化剤の添加により、エッセンシャルオイルが本来備えている植物毒性が緩和される。その効果については、乳化剤の添加によるエッセンシャルオイルの変色指数を示す表２に示されている。
【００２８】
【表２】
2005504102.tif 000004
【００２９】
少なくとも１つのエッセンシャルオイル成分、照射により得られたその誘導体、またはそれらの混合物に加えて、微生物殺菌成分が非常に低濃度で別の殺菌剤を含むこともあることに留意されたい。そのような低い濃度の殺菌剤は、単独で細菌による損傷を防ぐには十分ではないが、本発明のエッセンシャルオイルまたはその誘導体と共に、微生物による腐敗を防ぐことができる。そのような殺菌剤の例としては、イマザリル（imazalil）、チアベンダゾール（thiabendazole）、パノクチン（panoctine）、ロブラル（rovral）、プロクロラズ（prochloraz）、ナトリウム・オルトフェニールフェノール（sodium orthophenylphenate）、メタラキシル（metalaxyl）、ホセチル−Ａｌ（phosetyl-Al）、キャプタン（captan）、オキシン硫酸塩（oxyquinoline）、ジクロラン・ベンザルコニウム塩化物（dicloran benzalkonium chloride）、カノン（canon）、チオファネートメチル（thiophanate-methyl）、トリホリン（triforine）、カルベンダジム（carbendazim）、トリアデミノール（triademinol）、ビンクロゾリン（vinclozolin）、エタコナゾール（etaconazole）、またはこれらの混合物が挙げられる。このような添加殺菌剤の濃度は、約５ｐｐｍから約１００ｐｐｍである。エッセンシャルオイル成分または光照射により得られたその誘導体と少量の防かび剤との組み合わせを含む成分組成の使用により、次の２つの重要な利点が実現する。
１．殺菌剤の有毒残留物の低減。これはあらゆる有毒な防かび剤に対するすべての保健当局の重要な要求事項である。
２．殺菌剤に対する病原体の耐性増強の抑制。
この特定の利点は、殺菌成分を含むか否かにかかわらず新しい配合剤を使用することで達成される。実際に、たとえ比較的短期間であっても、異なる作用形態を備えた異なる殺菌剤を使用することは、殺菌剤に対する耐性個体群を抑制する望ましい方法であると考えられる。
【００３０】
本発明に係るエッセンシャルオイル成分は、合成によって生成してもよいし、エッセンシャルオイルの複数の成分を含む、つまり、混合物から成る植物抽出物の調合であってもよい。これはさらに、単一のエッセンシャルオイル成分またはそれらの任意の組み合わせにより強化された精製天然エッセンシャルオイル調合であってもよい。天然エッセンシャルオイルを含む調合は、柑橘類、レモングラスおよびユーカリノキなどの各種植物から精製することができる。際立ったエッセンシャルオイル成分の例としては、たとえば、シトラール、１−オクタノール、ヘプタノール（heptanol）、ノナノール、ゲラニオール、オクタナール（octanal）、ノナナール、デカナール（decanal）、ペリルアルデヒド、ペリラアルコール（perillalcohol）、シトロネロール（citronellol）、シトロネラール、カルボン、カルベオール（carveol）、リナロール（linalool）、バニリン（vanillin）、桂皮アルデヒド（cinnamic aldehyde）、桂皮酸（cinnamic acid）、ユージノール（eugenol）、メントール、リモネン、カルバクロール（carvacrol）、テルピネオール（terpineol）、チモール（thymol）、バニリンおよびショウノウ（camphor）が挙げられる。エッセンシャルオイルが照射により誘導体化されるような、本発明による事例においては、そのような誘導体化は、合成的に精製されたエッセンシャルオイル、天然抽出されたエッセンシャルオイルまたは複数のエッセンシャルオイルを含む未加工の抽出物で行うことができる。後者の場合、１つまたは複数のエッセンシャルオイルが誘導体化される間、他のエッセンシャルオイルは影響を受けない。さらに、照射は、自然源からのエッセンシャルオイル成分の抽出前または抽出後のいずれかに行われる。
【００３１】
本発明によれば、少なくとも１つのエッセンシャルオイル成分または照射により得られたその誘導体ならびに乳化剤および酸化防止剤の混合物は、抗菌成分として、微生物殺菌の目的で食品、化粧品類、家庭用品に直接添加することができる。さらに、混合物は、必要に応じて適量の無毒性基剤を添加することにより液体またはエアゾールの形で調合することができる。
【００３２】
効果を達成するために必要な少なくとも１つのエッセンシャルオイル成分の濃度は、それぞれの場合に応じて熟練者が容易に決めることができ、エッセンシャルオイルの種類および調合の適用方法によって異なっている。シトラールまたはゲラニオールの場合、有効量は約０.１％〜１％であり、特に０.２〜０.４％が効果的である。
【００３３】
この配合物は、保管前および保管中にさまざまなタイミングで農産物に塗布してこれを保護することができる。配合物を果実に塗布する場合は、梱包前、たとえば収穫後に塗布することが好ましい。本発明による配合は、農産物が配合の有効量、つまり保管期間を通じて微生物による感染を抑制する量と接触する方法であれば、どのような方法によっても農産物に適用することができる。適用方法の例には、梱包ケース内の果実に浸漬、薫蒸、噴霧、および発泡を行う方法がある。もう１つの方法としては、これらの物質をワックス乳剤に組み込むことが考えられる。実際、前述のように、ワックス乳剤はいくつかの柑橘類の処理に適した溶剤であった。
【００３４】
もう１つの適用の方法としては、シトラールのような活性剤の多くが持つ揮発性を利用して、比較的気密なチャンバー内で果実を薫蒸する方法があげられる。
【００３５】
もう１つ可能な適用の方法は、乾燥剤または吸湿剤に使用されるシリカゲル材に活性剤を加えることにより行われる。この物質は、活性剤の重量の１０％以上を吸収してカプセル化要素として保持することができる。ただし、この物質の周囲湿度が上昇すると、これらの活性殺菌剤は放出され、水がこれらに置き換わる。実際これは、痛みやすい農産物を保存する保管室またはコンテナ内に果実が閉じ込められている場合に常時発生している状態である。このような適用方法により、防かび剤のゆるやかな放出をコントロールできるようになり、長期間にわたって腐敗を防ぐことが可能になる。
【００３６】
配合剤はさらに、緩慢な分解性ポリマーを介して適用することもできるが、ポリマーはその分解中に、含み持っているエッセンシャルオイル化合物を農産物に放出する。
【００３７】
本発明によれば、エッセンシャルオイル配合剤のｐＨは酸性であることが好ましいが、ｐＨ値が９までの塩基性であってもよい。
【００３８】
前述のように、水性微生物殺菌配合剤は、少なくとも１つのエッセンシャルオイル成分を溶解する安定剤を含む必要がある。安定剤がエタノールである場合、０.２％の濃度のシトラールは、１０〜５０％のエタノールを含む配合剤として適用する場合のほうが、同じ濃度の水性乳剤で適用する場合に比べて、未接種のワシントンオレンジの腐敗を抑制する高い効果が得られたことが判明している（表３。例４も参照）。
【００３９】
【表３】
2005504102.tif 000005
【００４０】
さらに、通常、エッセンシャルオイルの適用に伴って発生する農産物の顕著な損傷は認められない。エタノール１０〜５０％の液中では、エッセンシャルオイルは植物毒性による損傷を引き起こさなかった。エッセンシャルオイルが比較的高濃度（０.５〜１％）で適用された場合であっても、従来技術においてはかなりの損傷を与えることが周知であるが、損傷は発生していない。
【００４１】
このようにして、腐敗を低減するこのような配合の効果は、梱包ケース内で試験を行ったすべての柑橘類（結果は表３および表４に示す）およびマンゴとピーマン（データは表示せず）について実証されている。ピーマンについての実験では、イスラエルのBotrytis cinerea and Alternaria alternataに、ペッパーの主な病原体が良好に抑制されたことが示されている。
【００４２】
【表４】
2005504102.tif 000006
【００４３】
定量的には、炭化水素モノテルペンに属するエッセンシャルオイル成分リモネンは、柑橘類の持つエッセンシャルオイル成分の約８５％を占めている。ただし、リモネンはそれ自体では十分に有効ではない。有効ではないという事実にもかかわらず、均質化した果実の皮を日光にさらし、特にジクロロメタン（dichloromethane）、ヘキサン（hezane）、または酢酸エチル（ethylacetate）による有機溶媒でエッセンシャルオイルの抽出を行うことによって、リモネンが非常に有効な微生物殺菌剤の前駆体としての役割を果たすことが見出された。同様の効果は、抽出後にリモネンにＵＶ照射を行うことでも達成された（図９および図１０）。同様のことは、合成により精製されたリモネンにもあてはまる。さらに、リモネンは、通常の酸化剤を使用しても酸化することができる。１つの特有の例としては、モリブデン塩（molybdate salt）を使用した不均一な触媒作用があげられるが、これに限定されることはない。
【００４４】
以上のように、本発明に係る微生物殺菌剤は、リモネンまたは光の照射を受けた相当量のリモネンを含む天然抽出のエッセンシャルオイルを含むことができる。光の照射にさらされたエッセンシャルオイルのこのような誘導体を使用する場合には、酸化防止剤を使用してはならないことに留意されたい。
【００４５】
このようにリモネンを照射にさらすことは、高い活性の防かび物質を形成する急激な光酸化を招く。そのような物質は、バニリン−硫酸テスト（以下「バニリンテスト」と呼ぶ）で紫色を呈する成分として特徴づけられるか、または、好ましくはＵＶランプを照射した結果得られる青色蛍光を特徴とする。このテストは、他のテルペンおよびその誘導体化合物と反応する場合もあるが、リモネンの固有の生成物は、その典型的な色とクロマトグラムの留保率−Ｒｆを特徴とする。光酸化は、リモネンを紫外線または白色光にさらすか、または日光にさらすことで行われる。これらの場合において、得られた物質は、ＨＰＬＣにおいて同じ留保時間であった。これらの物質は、バニリンテストにおいて同じ紫色を呈し、薄層クロマトグラムプレートの同じ位置を示した。したがって、これらの照射の過程はすべて同一の物質を生成すると結論づけることができる。リモネンを光酸化させ、バニリンテストで陽性の紫色反応を呈する新たな物質を生成する過程にクロロフィルが関与していることが判明した。この物質は、ミドリカビ病菌（Penicillium digitatum）分生子の生長の抑制を調べる生物学的検定において高い防かび有効性を示した。その結果もたらされる有効性は、柑橘類の内生フィトアレキシンとして知られる物質であるスコパロン（scoparone）またはスコポレチン（scopoletin）の有効性よりもはるかに高く、またレモン果実の最も有効な構成防かび物質として知られるシトラールの有効性よりも高いものであった（Ben Yehoshuaら、1992年）。
【００４６】
もう１つの観察により、この物質が、フィトアレキシン（phytoalexins）の蓄積の誘出など、柑橘類の抵抗力のメカニズムを促すことが示された（図１）。５μlの光酸化リモネンをフラベドのすぐ下のアルベド組織に注入することで未接種のレモンを処理すると、これらのレモン内に、病原体から果実を保護するのに十分なレベルまでスコパロンおよびスコポレチンの生成を促した。腐敗を完全に防止する効果が認められたレモンフラベドのジクロロメタンまたはヘキサンの天然抽出物を注入することでも、同様の結果が達成された（図７）。同様に、脂腺を傷つけるかまたは熟したグリーンレモンのアルベド組織にリモネンを注入すると、図１のスコパロンの蓄積によって示されるように、柑橘類の内生抵抗力メカニズムを誘い出す非常に重要な効果が得られた。このようなイエローレモンの損傷は、大きく反応を低下させ、果実の成熟度が抵抗反応に影響して年月を経た果実が保護されなくなることを示した（図２）。事実、イエローレモンのこの抵抗力の低下は、他の多くの実験でも認められた。興味深いことに、シトラールを注入することでは、同様の保護反応は誘発されなかった(図１)。おそらくは、リモネンとは異なり、シトラールの注入は、バニリン陽性の有効物質の生成を誘発しなかったものと考えられる。さらに、未接種の果実を腐敗を防止した天然ジクロロメタン抽出物に浸漬した後、はるかに高いレベルのスコパロン（１００μｇ／ｇ生体重量以上）およびスコポレチン（２００μｇ／ｇ生体重量以上）が検出された（図７）。検出されたフィトアレキシンのレベルは、病原体を完全に制御する上で必要な量の数倍であった。したがって、形成されたリモネンのヒドロペルオキシドが反応性の酸素の種を形成して、それが植物の免疫システムを引き出すことが明らかである。このような反応性酸素の種は、病原体にも作用する。これらの反応性酸素の種は寿命が短いので、果実が市場に流通する前に分解してしまう。
【００４７】
新規な本発明における１つの重要な態様は、病原体の腐敗制御が、病原体を直接抑制すること、および植物の耐性の内生的メカニズムを誘い出すことによって達成されることである。したがって、日光またはＵＶ処理されたリモネンまたは日光で処理された天然抽出物は、直接の防かび作用および内生的耐性を誘い出す効果を発揮する。
【００４８】
リモネンを照射することで各種の過酸化物が生成されることが、これまでに、防かび剤作用との関連はなく報告されている（Schieberle, P., Maier, W., Firl, J. and Grosch, W. 1987, HRGC separation of hydroperoxidesformed during the photosensitized oxidation of (R)-(+)-limonene. J. of High Resolution Chromatography ＆ Chromatography Communications p.588）。形成されたヒドロペルオキシド（hydropeoxide）、および、特に、（ＩＳ,４Ｒ）−ｐ−メンタ（mentha）−２,８−ジエン（diene）  １−ヒドロペルオキシド、（１Ｒ,４Ｒ）−ｐ−メンタ−２,８−ジエン  １−ヒドロペルオキシド、（２Ｒ,４Ｒ）−ｐ−メンタ−６,８−ジエン  ２−ヒドロペルオキシド、および（２Ｓ,４Ｒ）−ｐ−メンタ−６,８−ジエン  ２−ヒドロペルオキシドは、本発明の水溶液において効果的な殺菌剤として使用することができる。本発明の照射済みリモネンにこれらのヒドロペルオキシドが存在することは、ガスクロマトグラフィー質量分析および核磁気共鳴の研究によって確認されている（データは表示せず）。本発明において、高濃度のヒドロペルオキシドをもたらす新しい手順が、一重項酸素のエネルギー準位に対する反応において酸素を上昇させる触媒または活性剤としてローズベンガル（Rose Bengal）で開発された。この手順を使用すると、その結果ほぼすべてのリモネンがヒドロペルオキシドに変換される。これらのヒドロペルオキシドの混合体は、２５００ｐｐｍの投与であっても、接種済みレモンの腐敗の抑制に非常に効果的であった（図１１）。
【００４９】
行った実験では、皮の天然抽出物または抽出されたリモネンが日光に照射されていない場合、その結果得られるリモネン溶液は実際には十分に有効ではなく、腐敗を抑制するにはあまりに変わりやすいことが明確に示されている。このような場合に腐敗は、果実が微生物殺菌剤に全く接触していなかったかのように進行した。したがって、防かび作用およびスコパロンの蓄積に示されるような耐性メカニズムの誘出は、これらのリモネンのヒドロペルオキシドに関連している。
【００５０】
レモンフラベドのジクロロメタンまたはヘキサン抽出物の日光照射は、３時間から６時間実施する必要がある。抽出ヒドロペルオキシド配合物の殺菌成分としての作用は、果実をヒドロペルオキシド溶液に接触させる時間が長いほど高まる。接種済み果実を、ヒドロペルオキシド溶液（日光に４時間さらしたリモネン）に各１分間４回連続して浸漬することで、未接種のレモンを２０℃で３週間以上保管した場合の腐敗を抑制することができた(図９)。リモネンを３時間日光にさらした影響とその腐敗抑制剤としての有効性は、処置をしなかった場合（水に浸漬）またはエタノール溶液（２５％）で処置した場合と比較して、未接種の果実による商業ベースの実験として表４にまとめてある。さらに、完全に変換されている５０００、１００００、または２００００ｐｐｍのリモネン水溶配合物の２５％エタノール溶液を果樹に噴霧することで、木の（および収穫後の）バレンシアオレンジのスコパロンおよびスコポレチンの生成が促され、収穫後にミドリカビ病菌を接種した場合この果実の腐敗が低減された（データは表示せず）。
【００５１】
別の実験において、シトラールおよび日光処理済リモネン（２５％エタノールに溶解）は、接種済みのとうもろこしの穂軸において、もう１つの病原体、クラドスポリウムヘルバルム（Cladosporium herbarum）に対する顕著な成長抑制作用を示した。
【００５２】
柑橘類の梱包ケースにおいて腐敗を抑制する従来の方法は、環境にも無害な数種の化合物を含んでいるが、技術的な理由から本発明の配合物には含まれていない。このような化合物には、カルシウム塩（calcium salt）、ジベレリン酸（gibberelic acid）、２,４−ジクロロ酢酸アセトアルデヒド、キトサン（chitosan）またはキトサンに亜鉛もしくは銅などの低濃度の金属を加えたもの、酢酸やプロピオン酸などの有機酸などがある。これらの化合物は、環境に無害な新しい配合剤の一部といえるかもしれない。実際に、近年のデータではそうした作用が実証されている。事実、配合剤のｐＨを２または３まで下げることで、接種済み果実の実験において病原体の抑制も助けていた。
【００５３】
以下、必要に応じて付属の図面を参照しながら、次の非限定的な実施例を用いて本発明をより詳細に説明する。
【実施例１】
【００５４】
エッセンシャルオイルのミドリカビ病菌に対する最低抑制濃度および作用形態に関するイマザリルとの比較
柑橘類の脂腺で検出された５０以上の化合物の最小発育阻止濃度（ＭＩＣ：minimum inhibitory concentration）が、ペトリ皿で病原体の増殖が発生しなかった（器内で）化合物の最小濃度を設定することにより評価された（器内で）。表５は、（イマザリルと比較して）さらに有望な化合物のＭＩＣを示している。０.５ｍｌのアセトンに溶解した試験対象の各化合物の必須量が、１５ｍｌの溶かしたポテトデキストロース寒天培地（ＰＤＡ）（５０℃）を含む殺菌済みペトリ皿（９０ｍｍ）に追加され、最終濃度を１ｍｇ ｍｌ−１にした。ペトリ皿は、試験化合物が均一に分布するように静かに攪拌され、培地が設置された。ペトリ皿には、まだ胞子を形成し始めていないミドリカビ病菌の寒天プレート培地から切り取った菌糸ディスク（８ｍｍ）が植え付けられた。菌糸体ディスクは、各テスト皿の中央に置かれ、２４℃に保たれた。７日後の菌糸増殖の直径を測定することで、かびの抑制が監視される。
【００５５】
さらに、作用形態が殺菌性または菌増殖抑止性のいずれであるかを調べるために（器内で）試験が行われた。検定用プレートから接種物の菌糸体ディスクが、ＰＤＡのみを含むプレートに移された。プレートは、その後５日にわたり増殖を観測された。増殖が認められれば、化合物は菌増殖抑止剤として分類され、増殖が認められなければ殺菌剤として分類される。結果を、表５および表６に示す。
【００５６】
【表５】
2005504102.tif 000007
【００５７】
【表６】
2005504102.tif 000008
【００５８】
培地拡散分析方式
ポテトデキストロース培地（Difco）が準備され殺菌された。次いで媒体は、接種前に水槽で５０℃まで冷却され、滅菌水に入ったミドリカビ病菌胞子懸濁液の追加により、媒体内の胞子の最終濃度を１０４胞子／ｍｌにされた。媒体は均等に胞子を分散するように徐々に混合された後、各々直径９０ｍｍのペトリ皿に分注された。試験対象の個体が５ｍｇずつ、接種済み培地プレートの中央に配置された無菌の１３ｍｍ抗生のワットマン（Whatman）効力検定ペーパーディスクにピペットで分注された。プレートは２４℃で３日間培養された。防かび作用は、ペーパーディスクの端からかびの生育領域までのクリアゾーンの幅を測定することにより観察された。値は、ペトリ皿の病原体の生育が阻止されたゾーンの半径（ｍｍ）に対するものである。完全阻止とは、生育が完全に抑制されたことを意味している。
【００５９】
他の実験において（データは表示せず）、シトラールおよび他のエッセンシャルオイル配合物が、農産物の主な病原体であるかびのミドリカビ病菌およびバクテリアのエルウィニア・カルトボラ（Erwinia carotovora）の生育の抑制に効果的であることが判明している。
【実施例２】
【００６０】
傷のないグレープフルーツが果樹園から収穫され、同日中に、損傷のある果実を除去するために研究室で再び選別が行われた。グレープフルーツは、水道水で洗浄され、風乾された。次に、果実には各々、３本の針を組み込んだ器具で３箇所にフラベド組織を１.５ｍｍの深さまで突き刺すことによって接種が行われた。突き刺す前にそれぞれ、器具はミドリカビ病菌（１０６胞子／ｍｌ）の胞子懸濁液に浸された。接種済みのグレープフルーツは１７℃、相対湿度８５％で２４時間貯蔵され、その後グレープフルーツは６つのグループに分けられ、各グループのグレープフルーツは、（ａ）水、（ｂ）２５％エタノール（ＥｔＯＨ）、（ｃ）０.２％ゲラニオールを加えた２５％ＥｔＯＨ、（ｄ）０.１％シトラールを加えた２５％ＥｔＯＨ、（ｅ）０.２％シトラールを加えた２５％ＥｔＯＨ、（ｆ）０.５％シトラールを加えた２５％ＥｔＯＨに２分間浸漬することにより処理された。
【００６１】
各グループの腐敗した果実の割合は、処理を行った後毎日測定され、その結果は図３に示されている。
【００６２】
図３に示されているように、実験対照果実（水のみに浸漬したもの）は、すばやく腐敗が進み、接種後８日間で腐敗は１００％に達した。２５％エタノール（ＥｔＯＨ）に浸漬した果実の腐敗は進行が遅れたが、接種後６日でＥｔＯＨ処理された果実の腐敗の急激な増加が始まり、接種後３週間で果実の５０％以上が腐敗した。
【００６３】
対照的に、２５％ＥｔＯＨに溶解した０.２％ゲラニオールおよび０.１〜０.２％シトラールに浸漬した果実は腐敗発生率がより低く、接種後１８日目にはこれらのグループの果実の２０〜４０％しか腐敗していなかった。最も有効な腐敗抑制の結果は、２５％ＥｔＯＨに溶解した０.２％シトラールに浸漬した接種済み果実から得られたが、これは接種後１８日まで果実の腐敗を完全に阻止し、接種後２８日目で果実のわずか２０％に腐敗が発生するという結果を示した。０.５％シトラールでは用量が高過ぎ、この実験では植物毒性のために腐敗を促進してしまった。
【実施例３】
【００６４】
レモンは、実施例２に示すように接種が行われ、２５％エタノールで処理済のものと未処理のものを用意して、５０００ｐｐｍの乳化剤トゥイーン２０がシトラールの防かび作用を安定させることができるかどうかを調べた。結果は図４に示すとおりで、この濃度のトゥイーン２０がシトラールの作用を高めることが実証されている。さらに、シトラールがエタノールに溶解されていない場合に、通常生じる植物毒性を防ぐことが示された。おそらくは、乳化剤によってマイクロコロイド状の安定した乳化剤が形成され、それが、この濃度では植物毒性を備えているシトラールの均一な分散を可能にすることで植物毒性を抑制するものと考えられる。したがって、酸化防止剤ＢＨＡと組み合わせたトゥイーン２０は、配合剤においてエタノールの代用として使用することもできる。
【実施例４】
【００６５】
未接種のワシントンネーブルオレンジは、次のように処理された４つのグループに分けられた。（ａ）未処理、（ｂ）５０％エタノールに浸漬、（ｃ）０.２％シトラールを加えた０.０２％のＬ−７７乳化剤（水性乳剤）に浸漬、（ｄ）０.２％シトラールを加えた５０％エタノールに浸漬、（ｅ）０.２％イマザリル水溶液に浸漬。
【００６６】
次にオレンジは、１５℃で相対湿度５０〜７５％に４ヶ月間貯蔵され、貯蔵後のさまざまな期間に各グループ果実の腐敗発生比率が測定された。結果を表３に示す。
【００６７】
表３から分かるように、本発明による配合剤（０.２％シトラールを加えた５０％エタノール）による処理後、腐敗した果実の割合は、シトラールを加えた水性乳剤またはエタノールのみで処理した果実の場合に比べ、大幅に低下した。さらに、本発明による配合剤を使用した結果は、イマザリルによって達成された結果に匹敵するものである。０.０２％乳化剤でのシトラールの処理における高い腐敗レベルは、おそらく、エタノールまたはより高いレベルの乳化剤がないために、この処理で見られた植物毒性によって引き起こされたものであろう。
【実施例５】
【００６８】
牛肉の切り身が次の２つのグループに分けられた。（ａ）未処理の切り身、（ｂ）２０％エタノールに溶解した０.２％シトラールに３０秒間浸漬した切り身。次に、肉の切り身は１℃で相対湿度８５％に貯蔵され、処置後２週間後に各切り身の微生物個体数の測定が行われた。その結果、２０％エタノールに溶解したシトラールで処理された切り身の微生物個体数の総数が、未処理の切り身の総数の１０％未満であったことが示された。
【実施例６】
【００６９】
実施例２に示されるように、ペニシリウム（Penicillium）を接種されたレモンは、シトラール、乳化剤（トリトンＸ１００）および各種濃度のＢＨＡ水溶液に２分間浸漬された。シトラールの濃度は１０％である。対照溶液は、０.５％のトリトンＸ１００であった。結果は図５に示すとおりである。病原体の増殖を阻止するシトラールの作用を高める上で、０.１％ＢＨＡが効果的であることが明確に示されている。
【実施例７】
【００７０】
実施例２に示されるように、ペニシリウムを接種されたレモンは、０.５％シトラール、０.３％ＢＨＡ、トゥイーン２０およびイマザリルを含む水溶液に２分間浸漬され、２０℃で２１日間貯蔵された。結果は図６に示すとおりである。１ｐｐｍおよび１０ｐｐｍの濃度のイマザリルは、腐敗を完全に抑制するには不十分であった。ただし、１０ｐｐｍのイマザリルに０.５％シトラールを加えることで腐敗は完全に阻止され、この効果は高いが望ましくない合成防かび剤の用量と残留物を減らすことができた。１ｐｐｍのイマザリルにシトラールを追加しても、腐敗は十分に抑制されなかったが、１ｐｐｍのイマザリルのみの場合に比べて結果ははるかに良好であった。
【実施例８】
【００７１】
ペニシリウム１０４胞子／ｍｌで接種されたレモンは、１日後、シトラールおよび洗浄剤（トゥイーン２０）の水溶液、その他エッセンシャルオイルおよびさらに効果的なエッセンシャルオイルの組み合わせに浸漬され、６日間貯蔵された。これらの各種エッセンシャルオイルで達成された微生物抑制効果の結果は、表７に示すとおりである。これらのエッセンシャルオイルの一部、特に桂皮酸、バニリン、オクタノールおよび数種のエッセンシャルオイルの混合物は、これらの実験においてシトラールよりも高い効果を示した。さらに、ミドリカビ病菌に対する作用もより長く持続した。
【００７２】
【表７】
2005504102.tif 000009
【実施例９】
【００７３】
レモンフラベドから最も有効な天然抽出物を得るための一般的手順
レモン果実フラベド（外果皮）が採取され、夜間ジクロロメタンで抽出された。次にジクロロメタン抽出物の色が褐変するまで約１８時間日光にさらした。フラベドは混合され、ワットマン紙の層でフィルタ処理された。抽出液は、ジクロロメタンを除去するために蒸散され、高濃度の液体がさらにジクロロメタンを担体として使用してシリカ６０カラムのクロマトグラフィーによって分離された。一方は緑、もう一方は無色のジクロロメタンの２つの部分がクロマトグラフィー後に得られた。天然有効抽出物は、緑のジクロロメタン部分の気化によって分離された。ミドリカビ病菌１０４胞子／ｍｌを接種されたレモン果実は、抽出されたバニリン陽性化合物から成るエタノール水溶液に接種後２４時間に浸漬され、その後２０℃で貯蔵された。果実の病原体の増殖に対する化合物の効果は、貯蔵中に毎日調べられた。エタノール水溶液、イマザリル、または水によって達成された効果と比較した、各種濃度（１００００、５０００、および２５００ｐｐｍの天然抽出物）での効果は図７に示すとおりである。１００００ｐｐｍの天然抽出物は、病原体の増殖を完全に阻止した。そのような高い用量の天然抽出物では、一部の果実が植物毒性を呈した。ただし、殺菌剤作用が保持されている間に植物毒性を除去することができたため、この植物毒性が主として別の化合物によって引き起こされたものであり、有効な防かび化合物によるものではなかったことが示されている。
【００７４】
同様の結果が、リモネンのヘキサン抽出物によっても達成された。
【実施例１０】
【００７５】
リモネン−ヒドロペルオキシドが、次の２つの経路によりリモネンから調合された。
【００７６】
経路１：光酸化による：リモネンの転化と反応の収率は、約８時間の反応時間後ほぼ１００％であった。純粋なＥｔＯＨが溶媒として、ローズベンガルが活性剤として使用された。たとえばクロロフィルなど、他の光活性剤も反応の触媒となる。ＷＧ３４５フィルタの高圧水銀灯が、光触媒反応に使用された。単色光（ローズベンガルの場合、約３４５ｎｍの発光）、ＵＶ光、レーザーのような光触媒の他の方法もリモネン−ヒドロペルオキシドを生成する。
【００７７】
経路２：不均一な触媒の経路（無光）：モリブデン酸ナトリウム（Ｎａ２ＭｏＯ４２Ｈ
２Ｏ）が触媒として使用され、酸化剤として３００ｍｌの濃縮Ｈ２Ｏ２が溶媒７００ｍｌのＥｔＯＨに追加された。望ましい生成物を得るための反応条件は、大気圧、気温５０℃、および連続攪拌による５〜６時間の反応時間であった。リモネンの転化および反応の収率はほぼ１００％であった。
【００７８】
２つの経路の生成物を比較した。ガスクロマトグラフィー測定では、ほぼ同様の生成物の分布が示された。２つの異なる経路で調整された生成物の防かび作用が、同様の方法で確認された。ペニシリウム（１０４胞子／ｍｌ）を接種されたレモンは、リモネンヒドロペルオキシド、洗浄剤（トゥイーン２０）、およびエタノールを含む水溶液に浸漬された。腐敗は、２６日間に特定の間隔で観察された。これらの混合物で達成された微生物抑制の結果を図１１および図１２に示す。
【００７９】
経路１において、果実の植物毒性は浸漬後に発生した。混合物内のトゥイーン２０の量が増し、ローズベンガルを除去することで、この植物毒性が解消されるか、または少なくとも際立って軽減された。ローズベンガルは、ヘキサン：酢酸エチルの９：１混合液を使用してシリカカラムに溶液を装着することにより、有効なヒドロペルオキシドから分離された。ローズベンガルの除去後は、たとえあったとしても植物毒性はほんのわずかしか示されなかった。
【００８０】
使用された配合剤は、０.２５％リモネンヒドロペルオキシド、１％トゥイーン２０、４００ｐｐｍローズベンガル、および２５％ＥｔＨＯを含んでいる。このような構成は、植物毒性を生じることなく、腐敗の発生を完全に阻止した。接種後６０日後、処理済みの果実には腐敗は見られなかったが、対照として使用されたサンプルでは接種済み果実が５日後に腐敗した（図１１）。この防かび作用は、リモネンヒドロペルオキシドの直接の防かび作用、ならびに日光処理済みリモネンで先に示されたリモネンヒドロペルオキシドによって誘発されたスコパロンおよびスコポレチンのレベル増加によるものと解釈される（図１）。
【００８１】
経路２の場合、使用された配合剤は、０.５％および０.２５％のリモネンヒドロペルオキシド、２％トゥイーン２０、および２５％ＥｔＯＨを含んでいる。接種済みレモンの腐敗は、１２日間発生しなかった（図１２）。０.５％ＬＨＰＯの用量では腐敗を完全に抑制し、０.２５％ＬＨＰＯでは一部腐敗が発生した。２％トゥイーン２０および２５％ＥｔＯＨを含む対照溶液は、非常に低い防かび作用を呈し（９０％が腐敗）、ここでも有効な配合がリモネンヒドロペルオキシドであることが示されている。
【００８２】
経路１で触媒として使用されたローズベンガルが、防かび作用を低下させて植物毒性を高め、反応の終了時に有効配合物から除去しなければならないという望ましくない効果を持っているという観点からも、経路２が好ましい。
【実施例１１】
【００８３】
ペニシリウム（１０４胞子／ｍｌ）を接種されたレモンは、シトラール、洗浄剤（トゥイーン２０）、他のエッセンシャルオイル成分、および日光にさらされたレモンフラベドのジクロロメタン天然抽出物を含む水溶液に浸漬された。腐敗は、２０日間に特定の間隔で観察された。これらの混合物で達成された微生物抑制の結果は、図８に示す。
【００８４】
日光処理済みの天然、それぞれ０.５％と０.２５％の濃度のシトラールおよび１−オクタノールは、２０日以上の腐敗発生の抑制効果を示した（図８）。これらの処理は、５％未満の腐敗発生という結果を示し、一方、対照溶液の結果は９５％以上であった。さらに、０.２５％シトラールおよび０.２５％１−オクタノール、または０.２５％シトラールおよび０.２５％日光処理天然、または０.１２５％シトラールおよび０.１２５％日光処理天然および０.１２５％１−オクタノールの組み合わせによる処理後は、果実の腐敗率は１０％未満であった。
【実施例１２】
【００８５】
純粋なリモネンが３時間日光に露光された。殺菌配合物は、２５％エタノールおよび洗浄剤（トゥイーン２０）を含む水溶液に処理済みリモネンを溶解することにより調整された。ペニシリウム１０４胞子／ｍｌを接種されたレモンは、日光に露光されたリモネン水溶液を含む配合物に接種１日後に１分間１回または４回まで浸漬され、２０℃で貯蔵された。果実の病原体増殖に対する日光処理済みリモネンの効果が、貯蔵中に調べられた。図９では、浸漬回数および各浸漬時間が腐敗の減少に与える影響を示している。このデータから、結果は病原体または果実組織に吸収された物質の量によって大きく影響を受けていることが判明する。この数値は、日光によって処理されたリモネンが、１回の浸漬に比べて複数回または長時間の浸漬後により優れた腐敗抑制作用を示すことを示している。
【実施例１３】
【００８６】
純粋なリモネンが３時間ＵＶ光線（２５４ｎｍ）の照射を受けた。殺菌配合物は、２５％エタノールおよび洗浄剤（トゥイーン２０）を含む水溶液に処理済みリモネンを溶解することにより調整された。ペニシリウム１０４胞子／ｍｌを接種されたレモンは、照射を受けた水溶液に接種１日後に１分間１回または３回浸漬され、２０℃で貯蔵された。複数回浸漬の場合は、果実は続く２回の浸漬の間に１時間乾燥のために放置された。
【００８７】
果実の病原体増殖に対する紫外線処理済みリモネンの効果が、１か月間調べられた。図１０では、２５％アルコール溶液および２５００ｐｐｍのＵＶ処理済みリモネンへの１回浸漬処理（３ＵＶＬと定義）によって同様の腐敗発生抑制効果が示されている。ＵＶ処理済みリモネンへの３回連続浸漬（３ＵＶＬ３）では、これらの処理全体ではるかに優れた腐敗抑制効果を示している。対照溶液は、トゥイーン２０を含む水溶液である。
【実施例１４】
【００８８】
野生型黄色ブドウ球菌（５×１０８、ＯＤ６００＝０.２１９）の細胞が、異なる濃度５０〜１００μｌで３７℃の組織培養液（ｃｙ／ｇｐ）で３時間増殖された。ＯＤは、６００ｎｍで決められた。サンプル１は、２０００ｐｐｍシトラール、２５％エタノールおよび２０００ｐｐｍトゥイーン２０を含む。サンプル２は、サンプル１と同様の物質と共に５００ｐｐｍのβ−ＣＤおよび３００ｐｐｍのＢＨＡを含んでいる。サンプル１および２のいずれも、スタンフィロコカス・オーレアス（Staphylococus aureus）の細胞増殖を大幅に抑制した。シトラールを含まない同様の物質の配合物では（サンプル３、４）、病原体の増殖を抑制しなかった（図１４）。
【実施例１５】
【００８９】
野生型カンジダ・アルビカンス（Candida albicans）（１×１０３）の細胞が、異なる濃度５０〜１００μｌで３７℃の組織培養液で増殖された。ＯＤは、６００ｎｍで決められた。
【００９０】
６つの異なるチューブで次の処置が行われた。
【００９１】
チューブ１．２０００ｐｐｍシトラール＋２５％エタノール＋２０００ｐｐｍトゥイーン２０
チューブ２．２０００ｐｐｍシトラール＋２５％エタノール＋２０００ｐｐｍトゥイーン２０＋３００ｐｐｍＢＨＡ
チューブ３．２０００ｐｐｍ日光処理済みリモネン＋２０００ｐｐｍトゥイーン２０
チューブ４．２０００ｐｐｍ日光処理済みリモネン＋２５％エタノール＋２０００ｐｐｍトゥイーン２０
チューブ５．２５％エタノール＋２０００ｐｐｍトゥイーン２０
チューブ６．２５％エタノール＋２０００ｐｐｍトゥイーン２０＋５００ｐｐｍβ−ＣＤ＋３００ｐｐｍＢＨＡ
【００９２】
２５％エタノールおよび２０００ｐｐｍトゥイーン２０の２０００ｐｐｍシトラール、または５００ｐｐｍのβ−ＣＤおよび３００ｐｐｍのＢＨＡを加えた同様成分、あるいは２５％エタノールおよび２０００ｐｐｍトゥイーン２０に溶解した日光処理済みリモネンは、この組織体の細胞増殖を完全に阻止した。シトラールまたは日光処理済みのリモネンを含まない同様の物質の配合物（チューブ５および６）は、病原体の増殖を抑制しなかった（図１５）。
【００９３】
以上、本発明を具体的な実施例と共に述べてきたが、前述の説明を踏まえて、さまざまな変更および修正を加えることができることを、当業者であれば理解するであろう。したがって、本発明は、添付の請求項の精神および範囲内のすべての変更および修正に及ぶことを意図している。
【図面の簡単な説明】
【００９４】
【図１】日光処理されたリモネン、リモネン、もしくはシトラールをアルベドに注入することにより、または、熟したグリーンレモンに脂腺の内容物を放出することにより、熟したグリーンレモン内にスコパロン生成が誘発されることを示す図
【図２】熟したグリーンレモン果実およびイエローレモン果実のフィトアレキシンの生成に対するレモン果実の成熟度の影響を示す図
【図３】シトラールおよびゲラニオールの配合剤に浸漬して処理されたペニシリウム接種済みグレープフルーツの腐敗発生率を示す図
【図４】２５％エタノール、アミフ７２（プロピレングリコール中にブチル化ヒドロキシアニソール２０％、没食子酸プロピル６％、クエン酸４％）、βシクロデキストリン、およびポリオキシエチレンソルビタンモノラウレート（トゥイーン２０）によって安定化されたシトラールの水性乳剤で処理されたペニシリウム接種済みレモンの腐敗発生率を、エタノールを含まない５０００ｐｐｍのトゥイーン２０で同様の処理をした果実の腐敗発生率と比較して示す図
【図５】オクチルフェニルポリエーテルアルコール（トリトンＸ１００）およびブチル化ヒドロキシアニソール（ＢＨＡ）を含むシトラールの水性乳剤で処理したペニシリウム接種済みレモンの腐敗発生率を示す図
【図６】ポリオキシエチレンソルビタンモノラウレート（トゥイーン２０）およびブチル化ヒドロキシアニソール（ＢＨＡ）を含むシトラールの水性乳剤で処理されたペニシリウム接種済みレモンの腐敗発生率を、イマザリル（イマザリルは果実および野菜の収穫後の保護に一般に使用されている防かび剤）が追加された場合の腐敗発生率と比較して示す図
【図７】グリーンレモンのフラベドのジクロロメタン天然抽出物の２５％エタノール水性乳剤で処理したペニシリウム接種済みレモンの腐敗発生率を、イマザリル１０００ｐｐｍおよび２５％エタノール溶液で処理した場合の腐敗発生率と比較して示す図
【図８】シトラール、１−オクタノール、および使用に先立ち４時間日光にさらしたレモンフラベドからの２５％エタノール中のジクロロメタン天然抽出物を含む各種組み合わせの配合剤の２５％エタノール水性乳剤で処理されたペニシリウム接種済みレモンの腐敗発生率を示す図
【図９】日光に３時間さらした５０００ｐｐｍリモネンの２５％エタノール溶液で処理されたペニシリウム接種済みレモンの腐敗発生率を示す図。浸漬時間および浸漬回数の影響が比較された。
【図１０】使用に先立ち３時間ＵＶを照射した後に２５％エタノールに溶解した２５００ｐｐｍリモネンの水性乳剤で処理したペニシリウム接種済みレモンの腐敗発生率を示す図。この溶液に１分間浸漬した処理（３ＵＶＬ）が、１時間おきに連続１分間ずつ同じ溶液に３回浸した場合（３ＵＶＬ３）と比較された。これらの処置は、水または２５％エタノールに浸漬した場合と比較された。
【図１１】ローズベンガルの光酸化によって調合されたリモネンヒドロペルオキシドが、ミドリカビ病菌を接種したレモン果実の腐敗発生率に及ぼす影響を示す図
【図１２】モリブデート触媒で調合されたリモネンヒドロキシペルオキシドが、ミドリカビ病菌を接種したレモン果実の腐敗に及ぼす影響を示す図
【図１３】ローズベンガル触媒の除去およびトゥイーン２０の用量が、リモネンヒドロキシペルオキシドで処理されたレモン果実の植物毒性に及ぼす影響を示す図
【図１４】シトラール配合剤が、黄色ブドウ球菌細胞の増殖に及ぼす影響を示す図
【図１５】シトラールおよび日光処理したリモネンが、カンジダ・アルビカンス細胞の増殖に及ぼす影響を示す図
【図１】
2005504102.tif 000010
【図２】
2005504102.tif 000011
【図３】
2005504102.tif 000012
【図４】
2005504102.tif 000013
【図５】
2005504102.tif 000014
【図６】
2005504102.tif 000015
【図７】
2005504102.tif 000016
【図８】
2005504102.tif 000017
【図９】
2005504102.tif 000018
【図１０】
2005504102.tif 000019
【図１１】
2005504102.tif 000020
【図１２】
2005504102.tif 000021
【図１３】
2005504102.tif 000022
【図１４】
2005504102.tif 000023
【図１５】
2005504102.tif 000024
【国際公開パンフレット】
2005504102.tif 000025
2005504102.tif 000026
2005504102.tif 000027
2005504102.tif 000028
2005504102.tif 000029
2005504102.tif 000030
2005504102.tif 000031
2005504102.tif 000032
2005504102.tif 000033
2005504102.tif 000034
2005504102.tif 000035
2005504102.tif 000036
2005504102.tif 000037
2005504102.tif 000038
2005504102.tif 000039
2005504102.tif 000040
2005504102.tif 000041
2005504102.tif 000042
2005504102.tif 000043
2005504102.tif 000044
2005504102.tif 000045
2005504102.tif 000046
2005504102.tif 000047
2005504102.tif 000048
2005504102.tif 000049
2005504102.tif 000050
2005504102.tif 000051
2005504102.tif 000052
2005504102.tif 000053
2005504102.tif 000054
2005504102.tif 000055
2005504102.tif 000056
2005504102.tif 000057
2005504102.tif 000058
2005504102.tif 000059
2005504102.tif 000060
2005504102.tif 000061
2005504102.tif 000062
2005504102.tif 000063
2005504102.tif 000064
2005504102.tif 000065
2005504102.tif 000066
2005504102.tif 000067
2005504102.tif 000068
2005504102.tif 000069
2005504102.tif 000070
2005504102.tif 000071
2005504102.tif 000072
2005504102.tif 000073
2005504102.tif 000074
2005504102.tif 000075
2005504102.tif 000076
2005504102.tif 000077
2005504102.tif 000078
2005504102.tif 000079
2005504102.tif 000080
【国際公開パンフレット（コレクトバージョン）】
2005504102.tif 000081
【国際調査報告】
2005504102.tif 000082
2005504102.tif 000083
2005504102.tif 000084
2005504102.tif 000085
2005504102.tif 000086
2005504102.tif 000087